(57)【要約】      （修正有）【課題】運転者が異常状態に陥っている状況においてブレーキペダルが操作された場合であっても、後続車両に急制動を必要とさせてしまう可能性を低減させる【解決手段】車両の運転者が同車両を運転する能力を失っている異常状態にあるか否かの判定を行う異常判定手段（１０，１１，１２，１５）と、車両と同車両の後続車両との車間距離（Ｄｆｖ）を取得する車間距離取得手段（１０，１７）と、異常判定手段により運転者が異常状態にあると判定された場合、車両の減速度の大きさを車間距離が短いほど小さい第１制限値（｜Ｇｉｊｏ｜）以下に制限するように車両の制動装置を制御する減速度制限制御、及び、減速度の時間変化率の大きさを車間距離（Ｄｆｖ）が短いほど小さい第２制限値（｜ΔＧａ｜）以下に制限するように車両の制動装置を制御する減速度変化率制限制御、の少なくとも一方を実施する減速度制限手段（１０，２０，２１，２２）と、を備える。【選択図】図１
2018027723.tif 000002
【特許請求の範囲】
【請求項１】
車両の運転者が同車両を運転する能力を失っている異常状態にあるか否かの判定を行う異常判定手段と、
前記車両と同車両の後続車両との車間距離を取得する車間距離取得手段と、
前記異常判定手段により前記運転者が前記異常状態にあると判定された場合、
前記車両の減速度の大きさを前記車間距離が短いほど小さい第１制限値以下に制限するように前記車両の制動装置を制御する減速度制限制御、及び、
前記減速度の時間変化率の大きさを前記車間距離が短いほど小さい第２制限値以下に制限するように前記車両の制動装置を制御する減速度変化率制限制御、
の少なくとも一方を実施する減速度制限手段と、
を備えた車両制動制御装置。
【発明の詳細な説明】
【技術分野】
【０００１】
本発明は、車両の運転者が車両を運転する能力を失っている異常状態に陥っていると判定される場合に車両の減速度に制限を設ける車両制動制御装置に関する。
【背景技術】
【０００２】
従来から、運転者が車両を運転する能力を失っている状態（例えば、居眠り運転状態、意識低下状態及び心身機能停止状態等であり、以下、「異常状態」とも称呼する。）に陥っていることを検出して同車両を緊急退避させる装置が知られている。この従来の装置は、運転者に緊急退避制御の実行の可否を問合せ、その回答を受け付けるまでの間に同運転者の運転操作が誤操作であると判定された場合、同運転者の運転操作を制限する（運転操作の制御量を弱める）（例えば、特許文献１を参照。）。
【先行技術文献】
【特許文献】
【０００３】
【特許文献１】国際公開第２０１４／０１６９１１号
【発明の概要】
【０００４】
ところが、車両の運転者が異常状態に陥っていることが検出されている場合にブレーキ操作が制限されたとしても、その車両の後方を走行する後続車両と同車両との車間距離が近いときには後続車両が急制動を必要とする場合が生じる。
【０００５】
本発明は上記問題に対処するために為されたものである。即ち、本発明の目的の一つは、運転者が異常状態に陥っている状況においてブレーキペダルが操作された場合であっても、車両の減速度又は減速度の時間変化率を制限することにより、後続車両に急制動を必要とさせてしまう可能性を低減可能な車両制動制御装置を提供することにある。
【０００６】
そこで、本発明の車両制動制御装置（以下、「本発明装置」とも称呼する。）は、車両の運転者が同車両を運転する能力を失っている異常状態にあるか否かの判定を行う異常判定手段（１０，１１，１２及び１５）と、前記車両と同車両の後続車両との車間距離（Ｄｆｖ）を取得する車間距離取得手段（１０及び１７）と、を備える。
【０００７】
更に、本発明装置は、前記異常判定手段により前記運転者が前記異常状態にあると判定された場合、前記車両の減速度の大きさを前記車間距離が短いほど小さい第１制限値（｜Ｇｍｉｎ｜、｜Ｇｓｔａ｜又は｜Ｇｉｊｏ｜）以下に制限するように前記車両の制動装置（２２）を制御する減速度制限制御、及び、前記減速度の時間変化率の大きさを前記車間距離が短いほど小さい第２制限値（｜ΔＧａ｜又は｜ΔＧｂ｜）以下に制限するように前記車両の制動装置を制御する減速度変化率制限制御、の少なくとも一方を実施する減速度制限手段（１０，２０及び２１）と、を備えるように構成される。
【０００８】
本発明装置によれば、運転者が異常状態にあると判定された場合、減速度の大きさ（絶対値）が「減速度の大きさの制限値」を超えないように、或いは、減速度の変化率の大きさが「変化率の大きさの制限値」を超えないように、車両の減速度が制限される。更に、この場合、車両と後続車両との車間距離が短いほど、減速度の大きさの制限値及び変化率の大きさの制限値は小さくなる。従って、異常状態にある運転者がブレーキペダルを万一大きく又は速く踏み込んだ場合であっても急制動が生じないので、後続車両に急制動を必要とさせてしまう可能性を低減することができる。
【０００９】
上記説明においては、本発明の理解を助けるために、後述する実施形態に対応する発明の構成に対し、その実施形態で用いた名称及び／又は符号を括弧書きで添えている。しかしながら、本発明の各構成要素は、前記符号によって規定される実施形態に限定されるものではない。本発明の他の目的、他の特徴及び付随する利点は、以下の図面を参照しつつ記述される本発明の実施形態についての説明から容易に理解されるであろう。
【図面の簡単な説明】
【００１０】
【図１】図１は、本発明の実施形態に係る車両制動制御装置の概略構成図である。
【図２】図２は、図１に示した車両制動制御装置の運転支援ＥＣＵのＣＰＵが実行する「車両制動制御ルーチン」を示したフローチャートである。
【図３】図３は、図１に示した車両制動制御装置に作動を説明するためのタイムチャートであり、第１条件が成立し、且つ異常ガード発生時の目標減速度が制限値より大きく、後続車両が自車両に比較的早期に近付く場合のタイムチャートである。
【図４】図４は、図１に示した車両制動制御装置に作動を説明するためのタイムチャートであり、第１条件が成立し、且つ異常ガード発生時の目標減速度が制限値より大きく、後続車両が自車両に比較的遅く近付く場合のタイムチャートである。
【図５】図５は、図１に示した車両制動制御装置の作動を説明するためのタイムチャートであり、第１条件が成立し、且つ異常ガード発生時の目標減速度が制限値以下であるときのタイムチャートである。
【図６】図６は、図１に示した車両制動制御装置の作動を説明するためのタイムチャートであり、第２条件が成立し、且つ異常ガード発生時の目標減速度が制限値より大きいときのタイムチャートである。
【図７】図７は、図１に示した車両制動制御装置の作動を説明するためのタイムチャートであり、第２条件が成立し、且つ異常ガード発生時の目標減速度が制限値以下であるときのタイムチャートである。
【発明を実施するための形態】
【００１１】
（構成）
本発明の実施形態に係る車両制動制御装置（以下、「本制御装置」とも称呼される。）は、図１に示したように、車両（以下において、他の車両と区別するために、「自車両」と称呼される場合がある。）に適用される。
【００１２】
本制御装置は、運転支援ＥＣＵ１０、ブレーキＥＣＵ２０、メータＥＣＵ３０及び警報ＥＣＵ４０を備えている。これらのＥＣＵは、マイクロコンピュータを主要部として備える電子制御装置（Electronic Control Unit、エレクトロニック・コントロール・ユニット）であり、図示しないＣＡＮ（Controller Area Network）を介して相互に情報を送受信可能に接続されている。
【００１３】
本明細書において、マイクロコンピュータは、ＣＰＵ、ＲＯＭ、ＲＡＭ、不揮発性メモリ及びインタフェースＩ／Ｆ等を含む。ＣＰＵはＲＯＭに格納されたインストラクション（プロクラム及びルーチン等）を実行することにより各種機能を実現するようになっている。
【００１４】
運転支援ＥＣＵ１０は、以下に列挙するセンサ（スイッチを含む。）と接続され、それらのセンサの検出信号又は出力信号を受信するようになっている。なお、各センサは、運転支援ＥＣＵ１０以外のＥＣＵに接続されていてもよい。その場合、運転支援ＥＣＵ１０は、各センサが接続されたＥＣＵからＣＡＮを介してそのセンサの検出信号又は出力信号を受信するように構成される。
【００１５】
アクセルペダル操作量センサ１１は、自車両のアクセルペダル１１ａの操作量（アクセル開度）を検出し、アクセルペダル操作量ＡＰを表す信号を出力するようになっている。
ブレーキペダル操作量センサ１２は、自車両のブレーキペダル１２ａの操作量（ストローク量）を検出し、ブレーキペダル操作量ＢＰを表す信号を出力するようになっている。
【００１６】
マスタシリンダ圧センサ１３は、油圧ブレーキ装置の図示しないブレーキマスタシリンダに作用する圧力を検出し、マスタシリンダ圧ＭＣを表す信号を出力するようになっている。
【００１７】
ストップランプスイッチ１４は、ブレーキペダル１２ａが踏み込まれていないとき（ブレーキペダル操作量ＢＰが所定値以下のとき）にローレベル信号を出力し、ブレーキペダル１２ａが踏み込まれたとき（ブレーキペダル操作量ＢＰが所定値を超えたとき）にハイレベル信号を出力するようになっている。
【００１８】
操舵トルクセンサ１５は、操舵ハンドルＳＷの操作により自車両のステアリングシャフトＵＳに加わる操舵トルクを検出し、操舵トルクＴｒａを表す信号を出力するようになっている。
【００１９】
車速センサ１６は、自車両の走行速度（車速）を検出し、車速ＳＰＤを表す信号を出力するようになっている。
【００２０】
周囲センサ１７は、少なくとも自車両の後方の道路及びその道路に存在する立体物に関する情報を取得するようになっている。立体物は、例えば、自動車、自転車及び歩行者等の移動物、並びに電柱、樹木及びガードレール等の固定物を表す。以下、これらの立体物は「物標」と称呼される場合がある。周囲センサ１７は、例えば、レーダセンサ及びカメラセンサを備えている。
【００２１】
レーダセンサは、例えば、ミリ波帯の電波（以下、「ミリ波」と称呼する。）を少なくとも自車両の後方領域を含む自車両の周辺領域に放射し、放射範囲内に存在する物標によって反射されたミリ波（反射波）を受信する。更に、周囲センサ１７は、物標の有無及び自車両と物標との相対関係（即ち、自車両と物標との相対距離、及び自車両と物標との相対速度等）を演算して出力するようになっている。
【００２２】
より具体的に述べると、レーダセンサは演算処理部を備える。その演算処理部は、放射したミリ波と受信した反射波との位相差、反射波の減衰レベル及びミリ波を放射してから反射波を受信するまでの時間等に基づいて、検出した各物標（ｎ）に対する、車間距離（縦距離）Ｄｆｘ（ｎ）、相対速度Ｖｆｘ（ｎ）、横距離Ｄｆｙ（ｎ）及び相対横速度Ｖｆｙ（ｎ）等を所定時間の経過毎に取得する。
【００２３】
車間距離Ｄｆｘ（ｎ）は、自車両と物標（ｎ）（例えば、後続車両）との間の自車両の中心軸に沿った距離である。相対速度Ｖｆｘ（ｎ）は、物標（ｎ）の速度Ｖｓと自車両ＶＡの速度Ｖｊとの差（＝Ｖｓ−Ｖｊ）である。物標（ｎ）の速度Ｖｓは自車両の進行方向における物標（ｎ）の速度である。横距離Ｄｆｙ（ｎ）は、「物標（ｎ）の中心位置（例えば、後続車両の車幅中心位置）」の、自車両の中心軸と直交する方向における同中心軸からの距離である。横距離Ｄｆｙ（ｎ）は「横位置」とも称呼される。相対横速度Ｖｆｙ（ｎ）は、物標（ｎ）の中心位置（例えば、後続車両の車幅中心位置）の、自車両の中心軸と直交する方向における速度である。
【００２４】
カメラセンサは、ステレオカメラ及び演算処理部を備え、車両後方の左側領域及び右側領域の風景を撮影して左右一対の画像データを取得する。カメラセンサは、その撮影した左右一対の画像データに基づいて、物標の有無及び自車両と物標との相対関係等を演算して出力するようになっている。この場合、運転支援ＥＣＵ１０は、レーダセンサによって取得された自車両と物標との相対関係と、カメラセンサによって得られた自車両と物標との相対関係と、を合成することにより、自車両と物標との相対関係を決定する。
【００２５】
周囲センサ１７によって取得された情報は物標情報と称呼される。周囲センサ１７は、物標情報を運転支援ＥＣＵ１０に所定の周期にて繰り返し送信する。なお、周囲センサ１７は、必ずしもレーダセンサ及びカメラセンサの両方を備える必要はなく、例えば、カメラセンサだけであってもよい。更に、自車両を走行する道路の形状、及び道路と自車両との位置関係を表す情報は、図示しないナビゲーションシステムの情報を利用することもできる。
【００２６】
運転支援ＥＣＵ１０は、後述するように、運転者が車両を運転する能力を失っている異常状態にあるか否かを判定するとともに、運転者がその異常状態にあると判定した場合に適切な処理（例えば、車両を減速して安全に停止させる処理）を行うための各種制御を行うようになっている。
【００２７】
ブレーキＥＣＵ２０は、ブレーキアクチュエータ２１に電気的に接続されている。ブレーキＥＣＵ２０は、運転者のブレーキペダル操作量ＢＰを表す信号に基づく電気信号をブレーキアクチュエータ２１に送信するようになっている。
【００２８】
摩擦ブレーキ機構２２は、車輪ＷＨ１、ＷＨ２、ＷＨ３及びＷＨ４に其々固定されるブレーキディスク２２１ａ、２２２ａ、２２３ａ及び２２４ａと、各ブレーキディスクに対応して車体に固定されるブレーキキャリパ２２１ｂ、２２２ｂ、２２３ｂ及び２２４ｂとを備える。ブレーキアクチュエータ２１はブレーキＥＣＵ２０からの指示（電気信号）に応じてブレーキキャリパ２２１ｂ乃至２２４ｂに内蔵されたホイールシリンダに付与する油圧を調整する。摩擦ブレーキ機構２２は、付与された油圧によりホイールシリンダを作動させることにより、ブレーキパッドを各ブレーキディスク２２１ａ乃至２２４ａに押し付けて摩擦制動力を発生させる。このように本制御装置は、ブレーキペダル１２ａとブレーキアクチュエータ２１とが運転支援ＥＣＵ１０及びブレーキＥＣＵ２０を介して電線（ワイヤ）によって接続される、所謂ブレーキバイワイヤ・システムを構成している。
【００２９】
メータＥＣＵ３０は、図示しないデジタル表示式メータに電気的に接続されるとともに、ハザードランプ３１及びストップランプ３２にも電気的に接続されている。メータＥＣＵ３０は、運転支援ＥＣＵ１０からの指示に応じて、ハザードランプ３１を点滅させることができ、且つ、ストップランプ３２を点灯させることができる。
【００３０】
警報ＥＣＵ４０は、ブザー４１及び表示器４２に電気的に接続されている。警報ＥＣＵ４０は、運転支援ＥＣＵ１０からの指示に応じてブザー４１を鳴動させて運転者への注意喚起を行うことができ、且つ、表示器４２に注意喚起用のマーク（例えば、ウォーニングランプ）を点灯させたり、運転支援制御の作動状況を表示したりすることができる。
【００３１】
（作動の概要）
次に、本制御装置に係る運転支援ＥＣＵ１０（以下、単に「ＥＣＵ１０」とも称呼する。）の主たる作動について説明する。
【００３２】
＜運転不能異常状態検出＞
ＥＣＵ１０は運転者が「車両を運転する能力を失っている異常状態（以下、「運転不能異常状態」と称呼する。）」にあるか否かを判定する。例えば、ＥＣＵ１０は、自車両の車速ＳＰＤが所定車速ＳＰＤｔｈ以上である場合に、「アクセルペダル操作量ＡＰ、ブレーキペダル操作量ＢＰ及び操舵トルクＴｒａ」のいずれも変化しない無操作状態（運転操作があると認められない状態）が異常判定閾値時間以上継続するか否かを判定（監視）する。そして、ＥＣＵ１０は、この無操作状態が異常判定閾値時間以上継続したとき、運転者が運転不能異常状態にあると判定する（運転者が運転不能異常状態に陥っているとの判定を確定する。）。換言すると、アクセルペダル操作量センサ１１、ブレーキペダル操作量センサ１２、操舵トルクセンサ１５及び運転支援ＥＣＵ１０は、運転者が車両を運転する能力を失っている異常状態にあるか否かの判定を行う異常判定手段である。アクセルペダル操作量センサ１１、ブレーキペダル操作量センサ１２及び操舵トルクセンサ１５は運転者の運転不能異常状態検出センサとも言うことができる。
【００３３】
＜後続車両位置検出＞
更に、ＥＣＵ１０は、自車両の後方において自車両を追従する車両（以下、「後続車両」と称呼する。）の有無を判定し、後続車両がある場合、自車両と後続車両との間の相対距離（以下、「車間距離」とも称呼する。）Ｄｆｖ（即ち、Ｄｆｘ（ｎ））を算出する。より具体的には、ＥＣＵ１０は後方レーダ及び／又は後方カメラ等の周囲センサ１７を用いて自車両の後方に存在する物標を探索する。この探索によって物標が検出された場合、ＥＣＵ１０は検出された物標の相対位置及び相対速度から後続車両であるか否かを推定する。ＥＣＵ１０は、周囲センサ１７がカメラセンサである場合、更に、画像認識技術を用いて検出された物標が後続車両であるか否かを推定してもよい。
【００３４】
＜運転支援制御＞
加えて、ＥＣＵ１０は、運転者が運転不能異常状態にある場合、後続車両との車間距離（相対距離）Ｄｆｖが短いほど、減速度の大きさ及び／又は減速度の時間変化率の大きさの制限値を小さくする。以下、この運転支援制御（車両制動制御）を「運転者異常時急制動回避制御」と称呼する。運転者異常時急制動回避制御（即ち、「減速度制限制御」及び／又は「減速度変化率制限制御」）は、より具体的には、運転者が運転不能異常状態にあり、且つ後続車両との車間距離Ｄｆｖが所定閾値距離Ｄｔｈ以下であるとき、減速度の大きさ及び減速度の時間変化率の大きさを制限する。以下、本制御装置に係る運転者異常時急制動回避制御を含む車両制動制御の作動について具体的に説明する。
【００３５】
（具体的作動） 
運転支援ＥＣＵ１０のＣＰＵは、所定時間が経過する毎に図２にフローチャートにより示した車両制動制御ルーチンを実行するようになっている。従って、所定のタイミングになると、ＣＰＵは図２のステップ２００から処理を開始してステップ２０５に進み、車速ＳＰＤが「０」より大きいか否かを判定する。車速ＳＰＤが「０」より大きい（即ち、自車両が走行中である）場合、ＣＰＵは２０５にて「Ｙｅｓ」と判定してステップ２１０に進み、ブレーキペダル操作量ＢＰに基づいて運転者要求減速度Ｇ１を算出する。この場合、運転者要求減速度Ｇ１は、ブレーキペダル操作量ＢＰと、運転者要求減速度Ｇ１と、の関係を規定するルックアップテーブルＭａｐＧ１（ＢＰ）に実際のブレーキペダル操作量ＢＰを適用することによって算出される。
【００３６】
次いで、ＣＰＵはステップ２１５に進み、運転者異常時急制動回避制御の開始条件が成立するか否かを判定する。運転者異常時急制動回避制御の開始条件は、以下の第１条件又は第２条件の何れかが成立したとき成立する条件である。なお、運転者異常時急制動回避制御は、運転者が運転不能異常状態にあるときに運転者による不適切な（例えば、無意識の又は意図的でない）操作から車両をガードするというその目的から、「異常ガード」とも称呼される。
【００３７】
第１条件は、前回の車両制動制御ルーチン実行時（即ち、所定時間前）には後続車両が接近状態になかったが、現時点において後続車両が接近状態にあり、且つ現時点において運転者が運転不能異常状態にある場合に成立する。
【００３８】
より具体的には、「後続車両が接近状態にない」とは、車間距離Ｄｆｖが所定閾値距離Ｄｔｈより大きい場合であり、「後続車両が接近状態にある」とは、車間距離Ｄｆｖが所定閾値距離Ｄｔｈ以下である場合である。なお、ＣＰＵは、図示しない別のルーチンにて運転者が「運転不能異常状態にある」と判定したとき、運転者異常検出フラグＸｉｊｏの値を「１」に設定する。一方、ＣＰＵは、運転者が正常な（運転可能な）状態にあると判定した（例えば、アクセルペダル操作量ＡＰ、ブレーキペダル操作量ＢＰ及び操舵トルクＴｒａの何れもが所定時間内に変化した）とき、運転者異常検出フラグＸｉｊｏの値を「０」に設定する。つまり、本制御装置においては、少なくともブレーキペダルの操作のみでは運転不能異常状態は解除されないようになっている。
【００３９】
即ち、上記第１条件は、以下の（１）式の条件がすべて成立したとき成立する。
Ｄｆｖ＞Ｄｔｈ    （前回のルーチン）
Ｄｆｖ≦Ｄｔｈ    （今回のルーチン）              （１）
Ｘｉｊｏ＝１
【００４０】
第２条件は、前回の車両制動制御ルーチン実行時（即ち、所定時間前）には運転者が異常状態になかったが、現時点にて運転者が異常状態であり、且つ現時点にて後続車両が接近状態にある場合に成立する。即ち、上記第２条件は、以下の（２）式の条件がすべて成立したとき成立する。
Ｘｉｊｏ＝０    （前回のルーチン）
Ｘｉｊｏ＝１    （今回のルーチン）                （２）
Ｄｆｖ≦Ｄｔｈ
【００４１】
上記開始条件が成立する（第１条件又は第２条件が成立する）場合、ＣＰＵはステップ２１５にて「Ｙｅｓ」と判定してステップ２２０に進み、運転者異常時急制動回避制御（異常ガード）における目標減速度Ｇｓｔａを運転者要求減速度Ｇ１に設定して、ステップ２２５に進む。以下、運転者異常時急制動回避制御における目標減速度Ｇｓｔａは「異常ガード発生時の目標減速度」とも称呼される。一方、運転者異常時急制動回避制御（異常ガード）の開始条件が成立しない（即ち、前述の第１条件も第２条件も成立しない）場合、ＣＰＵはステップ２１５にて「Ｎｏ」と判定してステップ２２５に直接進む。つまり、この場合は異常ガード発生時の目標減速度Ｇｓｔａは前回の値が維持されることになる。
【００４２】
なお、ステップ２１５にて「Ｎｏ」と判定される場合としては、例えば、（ａ）運転者が運転不能異常状態でない（即ち、Ｘｉｊｏ＝０）場合、（ｂ）運転者の運転不能異常状態である（即ち、Ｘｉｊｏ＝１）が現時点において後続車両が接近していない（Ｄｆｖ＞Ｄｔｈ）場合及び（ｃ）既に運転者が運転不能異常状態（Ｘｉｊｏ＝１）且つ既に後続車両が接近している（Ｄｆｖ≦Ｄｔｈ）場合、等が挙げられる。
【００４３】
次いで、ＣＰＵはステップ２２５にて運転者が運転不能異常状態である（Ｘｉｊｏ＝１）か否かを判定する。現時点において運転者が運転不能異常状態である（Ｘｉｊｏ＝１）場合、ＣＰＵはステップ２２５にて「Ｙｅｓ」と判定してステップ２３０に進み、後続車両との車間距離Ｄｆｖが所定閾値距離Ｄｔｈ以下であるか否かを判定する。車間距離Ｄｆｖが所定閾値距離Ｄｔｈ以下である場合、ＣＰＵはステップ２３０にて「Ｙｅｓ」と判定してステップ２３５に進み、制動目標減速度Ｇｔｇｔを後述の手順により算出してステップ２４５に進む。
【００４４】
ステップ２３５において算出される制動目標減速度Ｇｔｇｔは、以下の（３）乃至（５）式により与えられる。なお、以下の（４）式における「ＭＩＮ（）」は括弧内の各要素の最小値を意味し、（５）式における「ＭＡＸ（）」は括弧内の各要素の最大値を意味する。（５）式において、「ｋ」はｋ番目（今回）のルーチンを表し、（３）式において「ｋ−１」は（ｋ−１）番目（前回）のルーチンを表している。
Ｇ２＝ＭＡＸ（Ｇ１，Ｇｔｇｔ（ｋ−１）＋ΔＧａ）      （３）
Ｇ３＝ＭＩＮ（Ｇｓｔａ，Ｇｉｊｏ）                    （４）
Ｇｔｇｔ（ｋ）＝ＭＡＸ（Ｇ２，Ｇ３）                  （５）
【００４５】
上記（３）式及び（５）式において制動目標減速度Ｇｔｇｔは負の値であり、ブレーキペダル操作量ＢＰが大きいほど小さい（その絶対値が大きい）。（３）式において「ΔＧａ」は制動目標減速度Ｇｔｇｔの時間変化率の制限値（即ち、変化勾配の下限）を表しており、以下、第１時間変化率制限値ΔＧａと称呼する。第１時間変化率制限値ΔＧａ（変化勾配）は負の値である。
【００４６】
（３）式において、減速度Ｇ２は「運転者要求減速度Ｇ１」と「前回のルーチンにて算出された制動目標減速度Ｇｔｇｔ（ｋ−１）に第１時間変化率制限値ΔＧａを加えた値：Ｇｔｇｔ（ｋ−１）＋ΔＧａ」の何れか大きい方の値として算出される。Ｇｔｇｔ（ｋ−１）＋ΔＧａは、このルーチンが繰り返される周期である所定時間毎に第１時間変化率制限値ΔＧａだけ変化する（減少する）が、運転者要求減速度Ｇ１がＧｔｇｔ（ｋ−１）＋ΔＧａより大きいときは運転者要求減速度Ｇ１が減速度Ｇ２として選択される。以下、現時点において、前回の制動目標減速度Ｇｔｇｔ（ｋ−１）の値は「０」であると仮定して話を進める。
【００４７】
（４）式において、「Ｇｉｊｏ」は運転者の運転不能異常状態における減速度制限値を表しており、以下、「運転不能異常状態における制限減速度Ｇｉｊｏ」とも称呼される。（４）式において、減速度Ｇ３は、「異常ガード発生時の目標減速度Ｇｓｔａ」と「運転者の運転不能異常状態における制限減速度Ｇｉｊｏ」の最小値（小さい方の値）として算出される。運転不能異常状態における制限減速度Ｇｉｊｏは、例えば、運転者が運転不能異常状態にあると判定されたとき、後続車両が自車両の比較的近い位置にある場合、後続車両に急制動を必要とさせてしまうことがないように自車両の急激な減速を防止するために設定される。本実施例においては、運転者の運転不能異常状態における制限減速度Ｇｉｊｏの値は一定値に設定されている。
【００４８】
よって、異常ガード発生時の目標減速度Ｇｓｔａの値が運転不能異常状態における制限減速度Ｇｉｊｏの値（一定値）以上である（その大きさ（絶対値）が小さい）ときは、運転不能異常状態における制限減速度Ｇｉｊｏの値が最小値として（減速度Ｇ３として）選択される。これに対し、異常ガード発生時の目標減速度Ｇｓｔａの値が運転不能異常状態における制限減速度Ｇｉｊｏの値（一定値）より小さい（その大きさ、即ち、絶対値が大きい）ときは、異常ガード発生時の目標減速度Ｇｓｔａの値が最小値として（減速度Ｇ３として）選択される。
【００４９】
つまり、異常ガード発生時の目標減速度Ｇｓｔａの値が運転不能異常状態における制限減速度Ｇｉｊｏの値より小さい場合、減速度Ｇ３は異常ガード発生時の目標減速度Ｇｓｔａの値を維持する。一方、異常ガード発生時の目標減速度Ｇｓｔａの値が運転不能異常状態における制限減速度Ｇｉｊｏの値以上である場合、減速度Ｇ３は運転不能異常状態における制限減速度Ｇｉｊｏの値を維持する。このように本制御装置は、その値が小さい方の減速度を選択して、本制御装置の油圧を一旦加圧した状態から減圧させないようにする。
【００５０】
このような制御を行うのは、一旦発生させた減速度を弱めてしまい、車両の制動距離がより長くなってしまうこと、及び一旦加圧した状態から急激に減速度を大きく（その大きさを小さく）すると自車両の搭乗者に大きな違和感を与えてしまうことを避けるためである。特に後続車両との車間距離Ｄｆｖが所定閾値距離Ｄｔｈ以下となったばかりの時点においてはまだ後続車両に急制動を必要とさせてしまう可能性が低いので、減速度Ｇ３が運転不能異常状態における制限減速度Ｇｉｊｏよりも小さくなる（その大きさが大きくなる）場合を許容している。
【００５１】
（５）式において、制動目標減速度Ｇｔｇｔ（ｋ）は、（３）式において算出された減速度Ｇ２と（４）式において算出された減速度Ｇ３の何れか大きい方の値として算出される。
【００５２】
一方、車間距離Ｄｆｖが所定閾値距離Ｄｔｈより長い場合、ＣＰＵはステップ２３０にて「Ｎｏ」と判定してステップ２４０に進み、制動目標減速度Ｇｔｇｔを後述の手順にて算出してステップ２４５に進む。
【００５３】
ステップ２４０において算出される制動目標減速度Ｇｔｇｔは、以下の（６）及び（７）式により与えられる。（７）式において、Ｇｍｉｎは、予め設定されている制動目標減速度下限値を表している。制動目標減速度下限値Ｇｍｉｎは運転不能異常状態における制限減速度Ｇｉｊｏよりも小さい値に設定されている。
Ｇ２＝ＭＡＸ（Ｇ１，Ｇｔｇｔ（ｋ−１）＋ΔＧｂ）      （６）
Ｇｔｇｔ（ｋ）＝ＭＡＸ（Ｇ２，Ｇｍｉｎ）              （７）
（Ｇｍｉｎ＜Ｇｉｊｏ）
【００５４】
（６）式において「ΔＧｂ」は制動目標減速度Ｇｔｇｔの時間変化率の制限値（即ち、変化勾配の下限）を表しており、第２時間変化率制限値ΔＧｂと称呼される。第２時間変化率制限値ΔＧｂは負の値であり、前述の第１時間変化率制限値ΔＧａよりも小さい（絶対値が大きい）。（６）式において 、減速度Ｇ２は「運転者要求減速度Ｇ１」と「前回のルーチンにて算出された制動目標減速度Ｇｔｇｔ（ｋ−１）に第２時間変化率制限値ΔＧｂを加えた値：Ｇｔｇｔ（ｋ−１）＋ΔＧｂ」の何れか大きい方の値として算出される。以下、現時点において、前回の制動目標減速度Ｇｔｇｔ（ｋ−１）の値は「０」であると仮定して話を進める。
【００５５】
（７）式において、制動目標減速度Ｇｔｇｔ（ｋ）は、（６）式において算出された減速度Ｇ２と制動目標減速度下限値Ｇｍｉｎの何れか大きい方の値として算出される。
【００５６】
次いで、ＣＰＵはステップ２４５に進み、最終的な制動目標減速度Ｇｉｊｏｔｇｔを以下の（８）式により算出する。最終的な制動目標減速度Ｇｉｊｏｔｇｔは、以下、運転者異常時制動目標減速度Ｇｉｊｏｔｇｔとも称呼される。ところで、運転者が運転不能異常状態にあるときには、運転者によるブレーキペダルの操作がなかったとしても、車両を安全に停止させるために、減速度を発生させる必要がある。以下の（８）式における「Ｇｉｊｏｓｙｓ」は運転不能異常状態に陥ったときに車両を停止させるのに最低限必要な減速度として設定される減速度である。以下、Ｇｉｊｏｓｙｓは「運転者異常時のシステム目標減速度Ｇｉｊｏｓｙｓ」と称呼される。
Ｇｉｊｏｔｇｔ＝ＭＩＮ（Ｇｉｊｏｓｙｓ，Ｇｔｇｔ（ｋ））      （８）
【００５７】
従って、ＣＰＵはステップ２４５にて運転者異常時目標減速度Ｇｉｊｏｔｇｔを、運転者異常時のシステム目標減速度Ｇｉｊｏｓｙｓと、ステップ２３５又はステップ２４０にて算出された制限目標減速度Ｇｔｇｔ（ｋ）の何れか小さい方の値として算出し、ステップ２５０に進む。ＣＰＵはステップ２５０に進むと、ステップ２４５にて算出した運転者異常時制動目標減速度Ｇｉｊｏｔｇｔに基づいて各車輪の摩擦ブレーキ機構２２に制動力を発生させ、ステップ２９５に進んで本ルーチンを一旦終了する。
【００５８】
これに対し、運転者が運転不能異常状態でない（Ｘｉｊｏ＝０）場合、ＣＰＵはステップ２２５にて「Ｎｏ」と判定してステップ２５５に進み、制動目標減速度Ｇｔｇｔ（ｋ）の値を「０」に設定してステップ２６０に進み、運転者のブレーキペダル操作量ＢＰに基づいて（即ち、運転者要求減速度Ｇ１にて）各車輪の摩擦ブレーキ機構２２に制動力を発生させ、ステップ２９５に進んで本ルーチンを一旦終了する。
【００５９】
なお、ステップ２０５にて「Ｎｏ」と判定されたとき、即ち、自車両の車速ＳＰＤが「０」であるとき（自車両が停止しているとき）、ＣＰＵはステップ２６５に進んで制動目標減速度Ｇｔｇｔ（ｋ）の値を「０」に設定した後、ステップ２９５に直接進んで本ルーチンを一旦終了する。
【００６０】
以下、上記車両制動制御ルーチンのステップ２３５、ステップ２４０及びステップ２４５にて算出される運転者異常時目標減速度について、場合分けをして、より具体的に作動を説明する。
【００６１】
（１）第１条件が成立し、ＧｓｔａがＧｉｊｏよりも大きく、且つＧ１がＧｔｇｔ（ｋ−１）＋ΔＧａよりも小さい場合
前述の第１条件が成立し、異常ガード発生時の目標減速度Ｇｓｔａが運転不能異常状態における制限減速度Ｇｉｊｏよりも大きく（絶対値が小さく）、且つ運転者要求減速度Ｇ１がＧｔｇｔ（ｋ−１）＋ΔＧａよりも小さい場合、（４）式より、減速度Ｇ３は運転不能異常状態における制限減速度Ｇｉｊｏとなる。よって、後続車両との車間距離Ｄｆｖが所定閾値距離Ｄｔｈ以下であるときの制動目標減速度Ｇｔｇｔ（ｋ）は（５）式より、次式のように表される。
Ｇｔｇｔ（ｋ）＝ＭＡＸ（Ｇｔｇｔ（ｋ−１）＋ΔＧａ，Ｇｉｊｏ）    （９）
一方、後続車両との車間距離Ｄｆｖが所定閾値距離Ｄｔｈより大きいときの制動目標減速度Ｇｔｇｔ（ｋ）は（７）式より、次式のように表される。
Ｇｔｇｔ（ｋ）＝ＭＡＸ（Ｇｔｇｔ（ｋ−１）＋ΔＧｂ，Ｇｍｉｎ）    （１０）
【００６２】
図３に示したように、時刻Ｔ０において後続車両との車間距離Ｄｆｖが所定閾値距離Ｄｔｈよりも大きい状態において、運転者異常検出フラグＸｉｊｏの値が「０」から「１」へと変化し、その後、時刻Ｔ１において運転者による（意図しない）ブレーキペダル操作があり、時刻Ｔ２にて後続車両との車間距離Ｄｆｖが所定閾値距離Ｄｔｈを下回る場合を考える。なお、運転者によるブレーキペダル操作量ＢＰは極めて大きく、その操作量ＢＰをそのまま減速度に反映させた場合、制動目標減速度下限値Ｇｍｉｎ以下となるようなブレーキ操作量ＢＰを想定している。
【００６３】
図３において、時刻Ｔ０となるまでＣＰＵは減速度を発生させていない。時刻Ｔ０において運転者が運転不能異常状態（Ｘｉｊｏ＝１）となるので、ＣＰＵは自車両を減速停止させるべく、時刻Ｔ０以降、運転者異常時のシステム目標減速度Ｇｉｊｏｓｙｓを発生させる。その後、時刻Ｔ１において（異常状態にある）運転者によるブレーキ操作が行われると、ＣＰＵは（１０）式にしたがって制動目標減速度Ｇｔｇｔ（ｋ）を破線Ｓ１に沿って（第２時間変化率制限値ΔＧｂに相当する傾きにて）減少させる。破線Ｓ１が運転者異常時のシステム目標減速度Ｇｉｊｏｓｙｓを下回ると（時刻Ｔ１１）、ＣＰＵは運転者異常時目標減速度Ｇｉｊｏｔｇｔとして制動目標減速度Ｇｔｇｔ（ｋ）を選択する。
【００６４】
その後、後続車両との車間距離Ｄｆｖが所定閾値距離Ｄｔｈ以下となる時刻Ｔ２において、ＣＰＵは（８）式にしたがって制動目標減速度Ｇｔｇｔ（ｋ）を破線Ｓ１よりも傾きの緩やかな一点鎖線Ｓ２に沿って減少させる。その後、制動目標減速度Ｇｔｇｔ（ｋ）が運転不能異常状態における制限減速度Ｇｉｊｏに達する時刻Ｔ３において、ＣＰＵは運転者異常時目標減速度Ｇｉｊｏｔｇｔの値を運転不能状態における制限減速度Ｇｉｊｏに設定する。
【００６５】
その後、後続車両との車間距離Ｄｆｖが所定閾値距離Ｄｔｈを超える時刻Ｔ４において、ＣＰＵは運転者異常時目標減速度Ｇｉｊｏｔｇｔの値を（１０）式にしたがって制動目標減速度下限値Ｇｍｉｎに到達するまで減少させ、運転者異常時目標減速度Ｇｉｊｏｔｇｔの値が制動目標減速度下限値Ｇｍｉｎに到達後は制動目標減速度下限値Ｇｍｉｎに維持させる。
【００６６】
言い換えると、時刻Ｔ０から時刻Ｔ１１の期間は運転者異常時システム目標減速度Ｇｉｊｏｓｙｓが、時刻Ｔ１１から時刻Ｔ２の期間は前回のルーチンにて算出された制動目標減速度Ｇｔｇｔ（ｋ−１）に第２時間変化率制限値ΔＧｂを加えた値Ｇｔｇｔ（ｋ−１）＋ΔＧｂが、時刻Ｔ２から一点鎖線Ｓ２が運転不能異常状態における制限減速度Ｇｉｊｏと交わる時刻Ｔ３までは前回のルーチンにて算出された制動目標減速度Ｇｔｇｔ（ｋ−１）に第１時間変化率制限値ΔＧａを加えた値Ｇｔｇｔ（ｋ−１）＋ΔＧａが、時刻Ｔ３から時刻Ｔ４までは運転不能異常状態における制限減速度Ｇｉｊｏが、それぞれ運転者異常時目標減速度Ｇｉｊｏｔｇｔとして選択される。即ち、
Ｇｉｊｏｔｇｔ＝Ｇｉｊｏｓｙｓ                （Ｔ０＜Ｔ≦Ｔ１１）
＝Ｇｔｇｔ（ｋ−１）＋ΔＧｂ    （Ｔ１１＜Ｔ≦Ｔ２）
＝Ｇｔｇｔ（ｋ−１）＋ΔＧａ    （Ｔ２＜Ｔ≦Ｔ３）
＝Ｇｉｊｏ                      （Ｔ３＜Ｔ≦Ｔ４）
【００６７】
一方、図４に示したように、後続車両との車間距離Ｄｆｖが所定閾値距離Ｄｔｈより大きい状態から所定閾値距離Ｄｔｈ以下の状態に変化する時刻である時刻Ｔ２が、制動目標減速度Ｇｔｇｔ（ｋ）の制動目標減速度下限値Ｇｍｉｎへの到達以後に到来する場合、制動目標減速度Ｇｔｇｔ（ｋ）は時刻Ｔ３にて制動目標減速度下限値Ｇｍｉｎから運転不能異常状態における制限減速度Ｇｉｊｏに向かって増加する。この場合、制動目標減速度Ｇｔｇｔ（ｋ）は運転不能異常状態における制限減速度Ｇｉｊｏに到達すると、後続車両との車間距離Ｄｆｖが所定閾値距離Ｄｔｈ以下の状態から所定閾値距離Ｄｔｈより大きい状態に変化する時刻である時刻Ｔ４まで運転者の運転不能異常状態における制限減速度Ｇｉｊｏを維持する。即ち、運転者異常時目標減速度Ｇｉｊｏｔｇｔは、
Ｇｉｊｏｔｇｔ＝Ｇｉｊｏｓｙｓ                （Ｔ０＜Ｔ≦Ｔ１１）
＝Ｇｔｇｔ（ｋ−１）＋ΔＧｂ    （Ｔ１１＜Ｔ≦Ｔ２）
＝Ｇｍｉｎ                      （Ｔ２＜Ｔ≦Ｔ３）
＝Ｇｉｊｏ                      （Ｔ３＜Ｔ≦Ｔ４）
【００６８】
（２）第１条件が成立し、且つＧｓｔａがＧｉｊｏ以下であり、且つＧ１がＧｔｇｔ（ｋ−１）＋ΔＧａよりも小さい場合
これに対し、第１条件が成立し、異常ガード発生時の目標減速度Ｇｓｔａが運転不能異常状態における制限減速度Ｇｉｊｏ以下であり（絶対値が小さく）、且つ運転者要求減速度Ｇ１がＧｔｇｔ（ｋ−１）＋ΔＧａよりも小さい場合、（４）式より、減速度Ｇ３は異常ガード発生時の目標減速度Ｇｓｔａとなる。よって、図５に示したように、時刻Ｔ０において運転者が運転不能異常状態（Ｘｉｊｏ＝１）となるので、ＣＰＵは時刻Ｔ０において運転者異常時のシステム目標減速度Ｇｉｊｏｓｙｓを発生させる。
【００６９】
その後、時刻Ｔ１において運転者によるブレーキ操作が行われると、ＣＰＵは（１０）式にしたがって制動目標減速度Ｇｔｇｔ（ｋ）を破線Ｓ１に沿って（第２時間変化率制限値ΔＧｂに相当する傾きにて）減少させる。破線Ｓ１が運転者異常時のシステム目標減速度Ｇｉｊｏｓｙｓを下回ると（時刻Ｔ１１）、ＣＰＵは運転者異常時目標減速度Ｇｉｊｏｔｇｔとして制動目標減速度Ｇｔｇｔ（ｋ）を選択する。その後、ＣＰＵは後続車両との車間距離Ｄｆｖが所定閾値距離Ｄｔｈより大きい状態から所定閾値距離Ｄｔｈ以下の状態に変化する時刻である時刻Ｔ２から制動目標減速度Ｇｔｇｔ（ｋ）が異常ガード発生時の目標減速度Ｇｓｔａ（即ち、運転者要求減速度Ｇ１）に到達する時刻Ｔ３まで減速度を一点鎖線Ｓ２に沿って（第１時間変化率制限値ΔＧａに相当する傾きにて）減少させる。
【００７０】
そして、時刻Ｔ３から後続車両との車間距離Ｄｆｖが所定閾値距離Ｄｔｈ以下の状態から所定閾値距離Ｄｔｈより大きい状態に変化する時刻である時刻Ｔ４までＣＰＵは運転者異常時目標減速度Ｇｉｊｏｔｇｔを異常ガード発生時の目標減速度Ｇｓｔａに維持する。即ち、運転者異常時目標減速度Ｇｉｊｏｔｇｔは、
Ｇｉｊｏｔｇｔ＝Ｇｉｊｏｓｙｓ                （Ｔ０＜Ｔ≦Ｔ１１）
＝Ｇｔｇｔ（ｋ−１）＋ΔＧｂ    （Ｔ１１＜Ｔ≦Ｔ２）
＝Ｇｔｇｔ（ｋ−１）＋ΔＧａ    （Ｔ２＜Ｔ≦Ｔ３）
＝Ｇｓｔａ                      （Ｔ３＜Ｔ≦Ｔ４）
【００７１】
（３）第２条件が成立し、ＧｓｔａがＧｉｊｏよりも大きく、且つＧ１がＧｔｇｔ（ｋ−１）＋ΔＧａよりも小さい場合
次に、前述の第２条件が成立し、異常ガード発生時の目標減速度Ｇｓｔａが運転不能異常状態における制限減速度Ｇｉｊｏよりも大きく（絶対値が小さく）、且つ運転者要求減速度Ｇ１がＧｔｇｔ（ｋ−１）＋ΔＧａよりも小さい場合、（４）式より、減速度Ｇ３は運転不能異常状態における制限減速度Ｇｉｊｏとなる。よって、制動目標減速度Ｇｔｇｔ（ｋ）は（５）式より、
Ｇｔｇｔ（ｋ）＝ＭＡＸ（Ｇｔｇｔ（ｋ−１）＋ΔＧａ，Ｇｉｊｏ）
と表される。従って、図６に示したように、運転者異常検出フラグＸｉｊｏの値が「０」から「１」に変化した時刻Ｔ１において、ＣＰＵは運転者異常時のシステム目標減速度Ｇｉｊｏｓｙｓを発生させる。時刻Ｔ１以後の時刻Ｔ２にブレーキペダルの操作が行われると、制動目標減速度Ｇｔｇｔ（ｋ）は、時刻Ｔ２から運転不能異常状態における制限減速度Ｇｉｊｏに到達する時刻である時刻Ｔ３まで一点鎖線Ｓ２に沿って減少していく。運転者異常時のシステム目標減速度Ｇｉｊｏｓｙｓと交わる時刻Ｔ２１から運転不能異常状態における制限減速度Ｇｉｊｏと交わる時刻Ｔ３までＣＰＵはＧｔｇｔ（ｋ−１）＋ΔＧａを発生させる。そして、時刻Ｔ３から後続車両との車間距離Ｄｆｖが所定閾値距離Ｄｔｈ以下の状態から所定閾値距離Ｄｔｈより大きい状態に変化する時刻である時刻Ｔ４までの間、ＣＰＵは制動目標減速度Ｇｔｇｔ（ｋ）を運転不能異常状態における制限減速度Ｇｉｊｏに維持する。即ち、運転者異常時目標減速度Ｇｉｊｏｔｇｔは、
Ｇｉｊｏｔｇｔ＝０                            （Ｔ０＜Ｔ≦Ｔ１）
＝Ｇｉｊｏｓｙｓ                （Ｔ１＜Ｔ≦Ｔ２１）
＝Ｇｔｇｔ（ｋ−１）＋ΔＧａ    （Ｔ２１＜Ｔ≦Ｔ３）
＝Ｇｉｊｏ                      （Ｔ３＜Ｔ≦Ｔ４）
【００７２】
（４）第２条件が成立し、且つＧｓｔａがＧｉｊｏ以下である場合
これに対し、第２条件が成立し、且つ異常ガード発生時の目標減速度Ｇｓｔａが運転不能異常状態における制限減速度Ｇｉｊｏよりも小さい（絶対値が大きい）場合、（４）式より、減速度Ｇ３は異常ガード発生時の目標減速度Ｇｓｔａとなる。よって、制動目標減速度Ｇｔｇｔ（ｋ）は（５）式より、
Ｇｔｇｔ（ｋ）＝ＭＡＸ（Ｇｔｇｔ（ｋ−１）＋ΔＧａ，Ｇｓｔａ）
と表される。従って、図７に示したように、運転者異常検出フラグＸｉｊｏの値が「０」から「１」に変化した時刻Ｔ１において、ＣＰＵは運転者異常時システム目標減速度Ｇｉｊｏｓｙｓを発生させる。その後、時刻Ｔ２にブレーキペダルの操作が行われると、ＣＰＵは制動目標減速度Ｇｔｇｔ（ｋ）を時刻Ｔ２から異常ガード発生時の目標減速度Ｇｓｔａに到達する時刻である時刻Ｔ３まで一点鎖線Ｓ２に沿って減少させる。ＣＰＵは一点鎖線Ｓ２が運転者異常時システム目標減速度Ｇｉｊｏｓｙｓを下回ると（時刻Ｔ２１）、運転者異常時目標減速度Ｇｉｊｏｔｇｔとして制動目標減速度Ｇｔｇｔ（ｋ）を選択する。そして時刻Ｔ３から後続車両との車間距離Ｄｆｖが所定閾値距離Ｄｔｈ以下の状態から所定閾値距離Ｄｔｈより大きい状態に変化する時刻である時刻Ｔ４までの間、制動目標減速度Ｇｔｇｔ（ｋ）は異常ガード発生時の目標減速度Ｇｓｔａに維持される。即ち、
Ｇｉｊｏｔｇｔ＝０                            （Ｔ０＜Ｔ≦Ｔ１）
＝Ｇｉｊｏｓｙｓ                （Ｔ１＜Ｔ≦Ｔ２１）
＝Ｇｔｇｔ（ｋ−１）＋ΔＧａ    （Ｔ２１＜Ｔ≦Ｔ３）
＝Ｇｓｔａ                      （Ｔ３＜Ｔ≦Ｔ４）
【００７３】
以上、説明したように、本制御装置は、異常判定手段１０，１１，１２及び１５により運転者が異常状態にあると判定された場合、車両の減速度の大きさを車間距離Ｄｆｖが短いほど小さい第１制限値（車間距離Ｄｆｖが所定閾値距離Ｄｔｈより大きいときは｜Ｇｍｉｎ｜、車間距離Ｄｆｖが所定閾値距離Ｄｔｈ以下であるときは｜Ｇｍｉｎ｜よりも小さい｜Ｇｓｔａ｜又は｜Ｇｉｊｏ｜）以下に制限するように車両の制動装置２２を制御する減速度制限制御、及び、減速度の時間変化率の大きさを車間距離Ｄｆｖが短いほど小さい第２制限値（車間距離Ｄｆｖが所定閾値距離Ｄｔｈより大きいときは｜ΔＧｂ｜、車間距離Ｄｆｖが所定閾値距離Ｄｔｈ以下であるときは｜ΔＧｂ｜よりも小さい｜ΔＧａ｜）以下に制限するように車両の制動装置２２を制御する減速度変化率制限制御、の少なくとも一方を実施するように構成される。
【００７４】
従って、運転者がブレーキペダルを大きく踏み込んだ場合であっても急制動が生じないようにすることができ、更に、後続車両との距離が短いときは減速度の大きさ及びその変化率の大きさの制限の度合いを大きくする。従って、運転者がブレーキペダルを大きく踏み込んだ場合であっても急制動が生じないので、後続車両に急制動を必要とさせてしまう可能性を低減することができる。
【００７５】
＜変形例＞
本発明は上記実施形態に限定されることはなく、以下に述べるように、本発明の範囲内において種々の変形例を採用することができる。
【００７６】
例えば、上記実施形態において、本制御装置は、運転者が運転不能異常状態にある場合、後続車両との車間距離Ｄｆｖが所定閾値距離Ｄｔｈ以下であるときの減速度の大きさに係る第１制限値を、車間距離Ｄｆｖが所定閾値距離Ｄｔｈより大きいときの第１制限値よりも小さい値に設定し、且つ後続車両との車間距離Ｄｆｖが所定閾値距離Ｄｔｈ以下であるときの減速度の時間変化率の大きさに係る第２制限値を、車間距離Ｄｆｖが所定閾値距離Ｄｔｈより大きいときの第２制限値よりも小さい値に設定するように構成されていた。しかし、本制御装置は、運転者が運転不能異常状態にある場合、減速度の大きさを後続車両との車間距離Ｄｆｖが短いほど小さい第１制限値以下にする減速度制限制御及び減速度の時間変化率の大きさを車間距離Ｄｆｖが短いほど小さい第２制限値以下にする減速度変化率制限制御の少なくとも一方を実施するように構成されてもよい。
【００７７】
例えば、本制御装置は、後続車両との車間距離Ｄｆｖが短いほど、運転者の運転不能異常状態における制限減速度Ｇｉｊｏの大きさ｜Ｇｉｊｏ｜を小さくするとともに／或いは制限時間変化率ΔＧａの大きさ｜ΔＧａ｜を小さくするように構成されてもよい。更に、本制御装置は、後続車両との車間距離Ｄｆｖが所定閾値距離Ｄｔｈ以下であるときに限り、車間距離Ｄｆｖが短いほど、運転者の運転不能異常状態における制限減速度Ｇｉｊｏの大きさ｜Ｇｉｊｏ｜を小さくするとともに／或いは制限時間変化率ΔＧａの大きさ｜ΔＧａ｜を小さくするように構成されてもよい。
【００７８】
これによれば、運転者が運転不能異常状態にあるときに、後続車両との距離が短いほど自車両の減速度及び／又は減速度の時間変化率の大きさが小さくされるので、後続車両との距離が短いほど自車両の急減速の程度が小さくなる。従って、後続車両に急制動を必要とさせてしまう可能性をより低減することができる。
【００７９】
更に、本制御装置は、減速度制限制御又は減速度変化率制限制御の何れか一方のみを実施するように構成されてもよい。
【００８０】
更に、本制御装置は、ブレーキバイワイヤ方式ではなく、通常の油圧ブレーキ配管によって構成されるブレーキ装置を備えた車両に適用されてもよい。その場合、先の実施形態に係る車両制動制御ルーチン（図２を参照。）において、ステップ２４５にて運転者異常時目標減速度Ｇｉｊｏｔｇｔを算出した後、運転者異常時目標減速度Ｇｉｊｏｔｇｔと運転者要求減速度Ｇ１との差分である必要減圧量を算出すればよい。
【００８１】
本制御装置は、運転者異常時急制動回避制御中に車速センサ１６により検出される車速ＳＰＤの値が「０」（即ち、自車両が停止状態）となったとき、制動目標減速度Ｇｔｇｔの値を「０」に設定するとともに、図示しないパーキングブレーキをオン状態にしてもよい。或いは、本制御装置は、運転者異常時急制動回避制御中に自車両が停止状態となったとき、図示しない内燃機関を停止してもよいし、内燃機関を停止させるための指示信号を送出してもよい。自車両が停止状態となったとき、本制御装置は、更に、ハザードランプ３１を点滅させてもよいし、ドアのロックを解除してもよい。
【００８２】
更に、本制御装置は、自車両の位置を算出するための情報を取得するためのＧＰＳセンサ及び他車両と無線通信を行うための車車間通信機又は路側の無線通信機を介して他車両と無線通信を行うための路車間通信機を備え、ＧＰＳセンサによって自車両の位置を、車車間通信機等によって後続車両の位置を取得し、これらの情報に基づいて後続車両との距離を算出するように構成されてもよい。
【００８３】
本制御装置は、運転者の運転不能異常状態が検出されているとき（即ち、運転者異常検出フラグＸｉｊｏの値が「１」となっているとき）には、ハザードランプ３１を点滅させることにより、車両の周囲に異常の発生を報知するように構成されてもよい。
【００８４】
車両制動制御ルーチンのステップ２４０において制動目標減速度Ｇｔｇｔとして設定される所定の減速度Ｇｐｒｅは、運転者の運転不能異常状態における制限減速度Ｇｉｊｏであってもよい。
【符号の説明】
【００８５】
１０…運転支援ＥＣＵ、１１…アクセルペダル操作量センサ、１２…ブレーキペダル操作量センサ、１２ａ…ブレーキペダル、１３…マスタシリンダ圧センサ、１４…ストップランプスイッチ、１５…操舵トルクセンサ、１６…車速センサ、１７…周囲センサ、２０…ブレーキＥＣＵ、２１…ブレーキアクチュエータ、２２…摩擦ブレーキ機構、３０…メータＥＣＵ、３１…ハザードランプ、３２…ストップランプ。
【図１】
2018027723.tif 000003
【図２】
2018027723.tif 000004
【図３】
2018027723.tif 000005
【図４】
2018027723.tif 000006
【図５】
2018027723.tif 000007
【図６】
2018027723.tif 000008
【図７】
2018027723.tif 000009